(57)【要約】無線通信ネットワークにおいて、高速チャネルに関連するページング・インジケータ・チャネルを適用することを容易にするシステムおよび方法が記述される。ページング・インジケータ送信は、ページング・チャネルで１または複数のモバイル・デバイスへ送られうる。ページング・インジケータは、例えばフル・ページング・メッセージ、他の制御プレーン・データ、あるいは他のユーザ・プレーン・データのようなさらなる情報が、関連する高速チャネルで、特有の時間インスタント（例えば、サブフレーム）で送信されることが期待されている。高速チャネルにおける関連するサブフレームのセットを指定するパラメータのセットが、共通チャネルで送信されうる。関連するサブフレームを決定し、このサブフレームをスケジュールにしたがって受信するために、モバイル・デバイスが、パラメータのセットを分析しうる。
2010521897.tif 000002
【特許請求の範囲】
【請求項１】
高速チャネルに関連するページング・インジケータ・チャネルを適用する方法であって、
ページング・インジケータ・チャネルでページング・インジケータを少なくとも１つのモバイル・デバイスへ送信することと、
共通チャネルで送信されたパラメータのセットと、前記ページング・インジケータの存在とに少なくとも部分的に基づいて、前記少なくとも１つのモバイル・デバイスへ高速チャネルで向けられる情報をスケジュールすることと、
前記情報を、前記高速チャネルで前記少なくとも１つのモバイル・デバイスへ送ることと
を備える方法。
【請求項２】
前記パラメータのセットは少なくとも２つのサブセットに分割され、前記少なくとも２つのサブセットは、共通チャネルでアナウンスされる固定パラメータを備える固定サブセットと、各情報送信に関連してアナウンスされる可変パラメータを備える可変サブセットとを含む請求項１に記載の方法。
【請求項３】
前記ページング・インジケータは、関連する高速チャネルで、特定の時間インスタンスにおいて、追加情報が送信されると期待されていることを示す請求項１に記載の方法。
【請求項４】
前記追加情報は、フル・ページング・メッセージ、他の制御プレーン・データ、あるいは他のユーザ・プレーン・データのうちの少なくとも１つを含む請求項３に記載の方法。
【請求項５】
前記追加情報は、前記スケジュールされた情報を含む請求項４に記載の方法。
【請求項６】
前記スケジュールされた情報は、ページング・メッセージ、モバイル・デバイス特有の上部レイヤ・シグナリング、あるいはモバイル・デバイス特有のデータのうちの少なくとも１つを含む請求項１に記載の方法。
【請求項７】
情報をスケジュールすることは、前記高速チャネルの１または複数のサブフレームで情報をスケジュールすることを備える請求項１に記載の方法。
【請求項８】
前記１または複数のサブフレームは、前記送信されたページング・インジケータを含むページング・インジケータ・チャネルのラジオ・フレームの終了後の時間オフセットに設定される請求項７に記載の方法。
【請求項９】
前記共通チャネルに含まれるパラメータのセットを選択することをさらに備える請求項１に記載の方法。
【請求項１０】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項９に記載の方法。
【請求項１１】
前記高速チャネルは、高速共有制御チャネル、あるいは高速共有データ・チャネルのうちの少なくとも１つである請求項１に記載の方法。
【請求項１２】
無線通信装置であって、
ページング・インジケータ・チャネルでページング・インジケータを少なくとも１つのモバイル・デバイスへ送信し、共通チャネルで送信されたパラメータのセットに少なくとも部分的に基づいて、前記少なくとも１つのモバイル・デバイスへ高速チャネルで向けられる情報をスケジュールし、前記情報を、前記高速チャネルで前記少なくとも１つのモバイル・デバイスへ送るための命令群を保持するメモリと、
前記メモリに接続され、前記メモリに保持された命令群を実行するように構成されたプロセッサと
を備える無線通信装置。
【請求項１３】
前記パラメータのセットは少なくとも２つのサブセットに分割され、前記少なくとも２つのサブセットは、共通チャネルでアナウンスされる固定パラメータを備える固定サブセットと、各情報送信に関連してアナウンスされる可変パラメータを備える可変サブセットとを含む請求項１２に記載の無線通信装置。
【請求項１４】
前記ページング・インジケータは、関連する高速チャネルで、特定の時間インスタンスにおいて、追加情報が送信されると期待されていることを示す請求項１２に記載の無線通信装置。
【請求項１５】
前記追加情報は、フル・ページング・メッセージ、他の制御プレーン・データ、あるいは他のユーザ・プレーン・データのうちの少なくとも１つを含む請求項１４に記載の無線通信装置。
【請求項１６】
前記追加情報は、前記スケジュールされた情報を含む請求項１５に記載の無線通信装置。
【請求項１７】
前記スケジュールされた情報は、ページング・メッセージ、モバイル・デバイス特有の上部レイヤ・シグナリング、あるいはモバイル・デバイス特有のデータのうちの少なくとも１つを含む請求項１２に記載の無線通信装置。
【請求項１８】
情報をスケジュールする命令群は、前記高速チャネルの１または複数のサブフレームで情報をスケジュールする命令群を備える請求項１２に記載の無線通信装置。
【請求項１９】
前記１または複数のサブフレームは、前記送信されたページング・インジケータを含むページング・インジケータ・チャネルのラジオ・フレームの終了後の時間オフセットに設定される請求項１８に記載の無線通信装置。
【請求項２０】
前記メモリはさらに、共通チャネルに含まれるパラメータのセットを選択するための命令群を保持する請求項１２に記載の無線通信装置。
【請求項２１】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項２０に記載の無線通信装置。
【請求項２２】
前記高速チャネルは、高速共有制御チャネル、あるいは高速共有データ・チャネルのうちの少なくとも１つである請求項１２に記載の無線通信装置。
【請求項２３】
高速チャネルにページング・インジケータ・チャネルを提供することを容易にする無線通信装置であって、
ページング・インジケータ・チャネルでページング・インジケータを少なくとも１つのモバイル・デバイスへ送信する手段と、
共通チャネルで送信されたパラメータのセットに少なくとも部分的に基づいて、前記少なくとも１つのモバイル・デバイスへ高速チャネルで向けられる情報をスケジュールする手段と、
前記情報を、前記高速チャネルで前記少なくとも１つのモバイル・デバイスへ送る手段と
を備える無線通信装置。
【請求項２４】
前記パラメータのセットは少なくとも２つのサブセットに分割され、前記少なくとも２つのサブセットは、共通チャネルでアナウンスされる固定パラメータを備える固定サブセットと、各情報送信に関連してアナウンスされる可変パラメータを備える可変サブセットとを含む請求項２３に記載の無線通信装置。
【請求項２５】
前記ページング・インジケータは、関連する高速チャネルで、特定の時間インスタンスにおいて、追加情報が送信されると期待されていることを示す請求項２３に記載の無線通信装置。
【請求項２６】
前記追加情報は、フル・ページング・メッセージ、他の制御プレーン・データ、あるいは他のユーザ・プレーン・データのうちの少なくとも１つを含む請求項２５に記載の無線通信装置。
【請求項２７】
前記追加情報は、前記スケジュールされた情報を含む請求項２６に記載の無線通信装置。
【請求項２８】
前記スケジュールされた情報は、ページング・メッセージ、モバイル・デバイス特有の上部レイヤ・シグナリング、あるいはモバイル・デバイス特有のデータのうちの少なくとも１つを含む請求項２３に記載の無線通信装置。
【請求項２９】
情報をスケジュールする手段は、前記高速チャネルの１または複数のサブフレームで情報をスケジュールする手段を備える請求項２３に記載の無線通信装置。
【請求項３０】
前記１または複数のサブフレームは、前記送信されたページング・インジケータを含むページング・インジケータ・チャネルのラジオ・フレームの終了後の時間オフセットに設定される請求項２９に記載の無線通信装置。
【請求項３１】
前記共通チャネルに含まれるパラメータのセットを選択する手段をさらに備える請求項２３に記載の無線通信装置。
【請求項３２】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項３１に記載の無線通信装置。
【請求項３３】
前記高速チャネルは、高速共有制御チャネル、あるいは高速共有データ・チャネルのうちの少なくとも１つである請求項２３に記載の無線通信装置。
【請求項３４】
ページング・インジケータ・チャネルでページング・インジケータを少なくとも１つのモバイル・デバイスへ送信することと、
共通チャネルで送信されたパラメータのセットに少なくとも部分的に基づいて、前記少なくとも１つのモバイル・デバイスへ高速チャネルで向けられる情報をスケジュールすることと、
前記情報を、前記高速チャネルで前記少なくとも１つのモバイル・デバイスへ送ることと
のための格納された命令群を有する機械読取可能媒体。
【請求項３５】
前記パラメータのセットは少なくとも２つのサブセットに分割され、前記少なくとも２つのサブセットは、共通チャネルでアナウンスされる固定パラメータを備える固定サブセットと、各情報送信に関連してアナウンスされる可変パラメータを備える可変サブセットとを含む請求項３４に記載の機械読取可能媒体。
【請求項３６】
前記ページング・インジケータは、関連する高速チャネルで、特定の時間インスタンスにおいて、追加情報が送信されると期待されていることを示す請求項３４に記載の機械読取可能媒体。
【請求項３７】
前記追加情報は、フル・ページング・メッセージ、他の制御プレーン・データ、あるいは他のユーザ・プレーン・データのうちの少なくとも１つを含む請求項３６に記載の機械読取可能媒体。
【請求項３８】
前記追加情報は、前記スケジュールされた情報を含む請求項３７に記載の機械読取可能媒体。
【請求項３９】
前記スケジュールされた情報は、ページング・メッセージ、モバイル・デバイス特有の上部レイヤ・シグナリング、あるいはモバイル・デバイス特有のデータのうちの少なくとも１つを含む請求項３４に記載の機械読取可能媒体。
【請求項４０】
情報をスケジュールするための命令群は、前記高速チャネルの１または複数のサブフレームで情報をスケジューリングするための機械読取可能な命令群を備える請求項３４に記載の機械読取可能媒体。
【請求項４１】
前記１または複数のサブフレームは、前記送信されたページング・インジケータを含むページング・インジケータ・チャネルのラジオ・フレームの終了後の時間オフセットに設定される請求項４０に記載の機械読取可能媒体。
【請求項４２】
前記共通チャネルに含まれるパラメータのセットを選択するための機械読取可能な命令群をさらに備える請求項３４に記載の機械読取可能媒体。
【請求項４３】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項４２に記載の機械読取可能媒体。
【請求項４４】
前記高速チャネルは、高速共有制御チャネル、あるいは高速共有データ・チャネルのうちの少なくとも１つである請求項３４に記載の機械読取可能媒体。
【請求項４５】
無線通信システムにおける装置であって、
ページング・インジケータ・チャネルでページング・インジケータを少なくとも１つのモバイル・デバイスへ送信し、共通チャネルで送信されたパラメータのセットに少なくとも部分的に基づいて、前記少なくとも１つのモバイル・デバイスへ高速チャネルで向けられる情報をスケジュールし、前記情報を、前記高速チャネルで前記少なくとも１つのモバイル・デバイスへ送るように構成された集積回路
を備える無線通信システム。
【請求項４６】
高速チャネルで情報を取得するためにページングを利用する方法であって、
ページング・インジケータ・チャネルで送信を受信することと、
共通チャネルに含まれ、高速チャネルにおける対応するデータのコンフィグレーションを指定するパラメータのセットを確認することと、
前記パラメータのセットにしたがって、前記対応するデータを復号することと
を備える方法。
【請求項４７】
前記送信は、ページング・メッセージ、モバイル・デバイス特有の上部レイヤ・シグナリング、あるいはモバイル・デバイス特有のデータのうちの少なくとも１つが、関連する高速チャネルにスケジュールされたことを示すページング・インジケータである請求項４６に記載の方法。
【請求項４８】
前記関連する高速チャネルは、ＨＳ−ＳＣＣＨ動作における高速共有制御チャネル（ＨＳ−ＳＣＣＨ）、あるいは、非ＨＳ−ＳＣＣＨ動作における高速共有データ・チャネルのうちの少なくとも１つである請求項４７に記載の方法。
【請求項４９】
前記確認されたパラメータのセットに少なくとも部分的に基づいてモバイル・デバイスを設定することをさらに備える請求項４６に記載の方法。
【請求項５０】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項４６に記載の方法。
【請求項５１】
無線通信装置であって、
ページング・インジケータ・チャネルで送信を受信し、共通チャネルに含まれ、高速チャネルにおける対応するデータのコンフィグレーションを指定するパラメータのセットを確認し、前記パラメータのセットにしたがって、前記対応するデータを復号するための命令群を保持するメモリと、
前記メモリに接続され、前記メモリに保持された命令群を実行するように構成されたプロセッサと
を備える無線通信装置。
【請求項５２】
前記送信は、ページング・メッセージ、モバイル・デバイス特有の上部レイヤ・シグナリング、あるいはモバイル・デバイス特有のデータのうちの少なくとも１つが、関連する高速チャネルにスケジュールされたことを示すページング・インジケータである請求項５１に記載の無線通信装置。
【請求項５３】
前記関連する高速チャネルは、ＨＳ−ＳＣＣＨ動作における高速共有制御チャネル（ＨＳ−ＳＣＣＨ）、あるいは、非ＨＳ−ＳＣＣＨ動作における高速共有データ・チャネルのうちの少なくとも１つである請求項５２に記載の無線通信装置。
【請求項５４】
前記メモリはさらに、前記確認されたパラメータのセットに少なくとも部分的に基づいてモバイル・デバイスを設定するための命令群を備える請求項５１に記載の無線通信装置。
【請求項５５】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項５１に記載の無線通信装置。
【請求項５６】
高速チャネルで情報を取得することを容易にする無線通信装置であって、
ページング・インジケータ・チャネルで送信を受信する手段と、
共通チャネルに含まれ、高速チャネルにおける対応するデータのコンフィグレーションを指定するパラメータのセットを確認する手段と、
前記パラメータのセットにしたがって、前記対応するデータを復号する手段と
を備える無線通信装置。
【請求項５７】
前記送信は、ページング・メッセージ、モバイル・デバイス特有の上部レイヤ・シグナリング、あるいはモバイル・デバイス特有のデータのうちの少なくとも１つが、関連する高速チャネルにスケジュールされたことを示すページング・インジケータである請求項５６に記載の無線通信装置。
【請求項５８】
前記関連する高速チャネルは、ＨＳ−ＳＣＣＨ動作における高速共有制御チャネル（ＨＳ−ＳＣＣＨ）、あるいは、非ＨＳ−ＳＣＣＨ動作における高速共有データ・チャネルのうちの少なくとも１つである請求項５７に記載の無線通信装置。
【請求項５９】
前記確認されたパラメータのセットに少なくとも部分的に基づいてモバイル・デバイスを設定する手段をさらに備える請求項５６に記載の無線通信装置。
【請求項６０】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項５６に記載の無線通信装置。
【請求項６１】
ページング・インジケータ・チャネルで送信を受信し、
共通チャネルに含まれ、高速チャネルにおける対応するデータのコンフィグレーションを指定するパラメータのセットを確認し、
前記パラメータのセットにしたがって、前記対応するデータを復号する
ための格納された命令群を有する機械読取可能媒体。
【請求項６２】
前記送信は、ページング・メッセージ、モバイル・デバイス特有の上部レイヤ・シグナリング、あるいはモバイル・デバイス特有のデータのうちの少なくとも１つが関連する高速チャネルにスケジュールされたことを示すページング・インジケータである請求項６１に記載の機械読取可能媒体。
【請求項６３】
前記関連する高速チャネルは、ＨＳ−ＳＣＣＨ動作における高速共有制御チャネル（ＨＳ−ＳＣＣＨ）、あるいは、非ＨＳ−ＳＣＣＨ動作における高速共有データ・チャネルのうちの少なくとも１つである請求項６２に記載の機械読取可能媒体。
【請求項６４】
前記確認されたパラメータのセットに少なくとも部分的に基づいてモバイル・デバイスを設定するための機械実行可能な命令群をさらに備える請求項６１に記載の機械読取可能媒体。
【請求項６５】
前記パラメータのセットは、前記ページング・インジケータに関連する高速チャネルにおけるサブフレームの数、ＨＡＲＱ再送信の数、ＨＡＲＱ再送信のサブフレームのストライド、あるいは、関連するサブフレームの受信後にモニタされるべき高速チャネルにおけるサブフレームの数、のうちの少なくとも１つを含む請求項６１に記載の機械読取可能媒体。
【請求項６６】
無線通信システムにおける装置であって、
ページング・インジケータ・チャネルで送信を受信し、共通チャネルに含まれ、高速チャネルにおける対応するデータのコンフィグレーションを指定するパラメータのセットを確認し、前記パラメータのセットにしたがって、前記対応するデータを復号するように構成された集積回路を備える装置。
【発明の詳細な説明】
【関連出願に対する相互参照】
【０００１】
本出願は、２００７年３月１５日に出願され"PICH-HS TIMING AND OPERATION"と題された米国仮特許出願６０／８９５，１４１号の利益を主張する。本出願はさらに、２００７年３月１６日に出願され"PICH-HS TIMING AND OPERATION"と題された米国仮特許出願６０／８９５，３９９号の利益を主張する。前記出願の全体は、参照によって本明細書に組み込まれる。
【技術分野】
【０００２】
以下の記述は、一般に、無線通信に関し、さらに詳しくは、ページング・インジケータ・チャネルと高速チャネルとの間の相対タイミング付けおよび動作に関する。
【背景技術】
【０００３】
無線通信システムは、例えば音声、データ等のような様々なタイプの通信コンテンツを提供するために広く展開している。一般的な無線通信システムは、利用可能なシステム・リソース（例えば帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。さらに、これらシステムは、例えば第３世代パートナシップ計画（３ＧＰＰ）、３ＧＰＰロング・ターム・イボリューション（ＬＴＥ）等のような仕様に準拠しうる。
【０００４】
通常、無線多元接続通信システムは、同時に複数のモバイル・デバイスのための通信をサポートすることができる。モバイル・デバイスはおのおのの、順方向リンクおよび逆方向リンクによる送信によって、１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイス（および／または、他の基地局を用いて基地局）と通信することができる。
【０００５】
ＭＩＭＯシステムは一般に、データ送信のために、複数（ＮＴ個）の送信アンテナおよび複数（ＮＲ個）の受信アンテナを適用する。ＮＴ個の送信アンテナおよびＮＲ個の受信アンテナによって形成されるＭＩＭＯチャネルは、空間チャネルと称されるＮＳ個の独立チャネルへ分解されうる。ここで、ＮＳ≦｛ＮＴ，ＮＲ｝である。ＮＳ個の独立チャネルのおのおのは、ディメンションに相当する。さらに、ＭＩＭＯシステムは、複数の送信アンテナおよび受信アンテナによって生成される追加ディメンションが適用される場合、改善されたパフォーマンス（例えば、向上した空間利用率、より高いスループット、および／または、より高い信頼性）を提供する。
【０００６】
ＭＩＭＯシステムは、共通の物理媒体によって順方向リンク通信および逆方向リンク通信を分割するために、様々なデュプレクス技術を適用することができる。例えば、周波数分割デュプレクス（ＦＤＤ）システムは、順方向リンク通信および逆方向リンク通信のために、異なる周波数領域を利用することができる。さらに、時分割デュプレクス（ＴＤＤ）システムでは、順方向リンク通信および逆方向リンク通信は、共通周波数領域を利用することができる。しかしながら、従来技術は、チャネル情報に関する限定されたフィードバックしか与えないか、あるいは、フィードバックを全く与えない。
【発明の概要】
【０００７】
以下は、１または複数の実施形態の基本的な理解を与えるために、そのような実施形態の簡略化された概要を示す。この概要は、考えられる全ての実施形態の広範囲な概観ではなく、全ての実施形態の重要要素や決定的要素を特定することでも、あるいは、何れかまたは全ての実施形態のスコープを線引きすることでもないことが意図される。その唯一の目的は、後述されるより詳細な説明に対する前置きとして、１または複数の実施形態の幾つかの概念をより簡単な形式で表すことである。
【０００８】
局面によれば、本明細書では、高速チャネルととともにページング・インジケータ・チャネルを適用する方法が説明される。この方法は、ページング・インジケータを、ページング・インジケータ・チャネルで、少なくとも１つのモバイル・デバイスへ送信することを備える。さらに、この方法は、高速チャネルで少なくとも１つのモバイル・デバイスへ向けられた情報をスケジューリングすることを備える。このスケジューリングは、共通チャネルで送信されるパラメータのセットおよびページング・インジケータの存在に少なくとも部分的に基づく。この方法はさらに、高速チャネルで、少なくとも１つのモバイル・デバイスへ情報を送信することも備える。
【０００９】
別の局面は、メモリを備える無線通信装置に関する。このメモリは、ページング・インジケータ・チャネルで、少なくとも１つのモバイル・デバイスへページング・インジケータを送信し、高速チャネルで少なくとも１つのモバイル・デバイスへ向けられた情報をスケジューリングし、高速チャネルで、少なくとも１つのモバイル・デバイスへ情報を送信することに関する命令群を保持する。なお、このスケジューリングは、共通チャネルで送信されるパラメータのセットおよびページング・インジケータの存在に少なくとも部分的に基づく。無線通信装置はさらに、メモリに接続され該メモリに保持された命令群を実行するように構成されたプロセッサをも含みうる。
【００１０】
さらに別の局面は、高速チャネルにページング・インジケータ・チャネルを提供することを容易にする無線通信装置に関する。この装置は、ページング・インジケータ・チャネルで、少なくとも１つのモバイル・デバイスへページング・インジケータを送信する手段を含む。この装置はさらに、高速チャネルで少なくとも１つのモバイル・デバイスへ向けられた情報をスケジューリングすることを備える。このスケジューリングは、共通チャネルで送信されるパラメータのセットに少なくとも部分的に基づく。さらに、この無線通信装置は、高速チャネルで、少なくとも１つのモバイル・デバイスへ情報を送信する手段を含みうる。
【００１１】
また別の局面は、ページング・インジケータ・チャネルで、少なくとも１つのモバイル・デバイスへページング・インジケータを送信するための格納された機械実行可能な命令群を有する機械読取可能媒体に関する。さらに、この機械読取可能媒体は、高速チャネルで少なくとも１つのモバイル・デバイスへ向けられた情報をスケジューリングするための命令群を備える。このスケジューリングは、共通チャネルで送信されるパラメータのセットに少なくとも部分的に基づく。さらに、この機械読取可能媒体は、高速チャネルで、少なくとも１つのモバイル・デバイスへ情報を送信するための命令群を含みうる。
【００１２】
別の局面によれば、装置は、無線通信システム内に集積回路を備えることができる。この集積回路は、ページング・インジケータ・チャネルで、少なくとも１つのモバイル・デバイスへページング・インジケータを送信するように構成されうる。この集積回路はさらに、高速チャネルで少なくとも１つのモバイル・デバイスへ向けられた情報をスケジューリングするように構成されうる。ここで、この集積回路は、共通チャネルで送信されるパラメータのセットに少なくとも部分的に基づく。さらに、この集積回路は、高速チャネルで、少なくとも１つのモバイル・デバイスへ情報を送信するように構成されうる。
【００１３】
また別の局面によれば、本明細書では、高速チャネルで情報を取得するためにページングを利用する方法が記述される。この方法は、ページング・インジケータ・チャネルで送信を受信することを備える。この方法はさらに、共通チャネルに含まれ、高速チャネルにおける対応するデータの構成を指定するパラメータのセットを確認することを含む。さらに、この方法は、対応するデータを、パラメータのセットにしたがって復号することを備えうる。
【００１４】
本明細書に記述された別の局面は、メモリを含みうる無線通信装置に関する。このメモリは、ページング・インジケータ・チャネルで送信を受信し、共通チャネルに含まれ、高速チャネルにおける対応するデータの構成を指定するパラメータのセットを確認し、対応するデータを、パラメータのセットにしたがって復号することに関する命令群を保持しうる。さらに、この無線通信装置は、メモリに接続され該メモリに保持された命令群を実行するように構成されたプロセッサを含みうる。
【００１５】
さらに別の局面は、高速チャネルで情報を取得することを容易にする無線通信装置に関する。この装置は、ページング・インジケータ・チャネルで送信を受信する手段を備えうる。この装置はまた、共通チャネルに含まれ、高速チャネルにおける対応するデータの構成を指定するパラメータのセットを確認する手段を備えうる。さらに、この装置は、対応するデータを、パラメータのセットにしたがって復号する手段を含みうる。
【００１６】
さらに別の局面は、ページング・インジケータ・チャネルで送信を受信するための格納された機械実行可能な命令群を有する機械読取可能媒体に関する。この機械読取可能媒体はさらに、共通チャネルに含まれ、高速チャネルにおける対応するデータの構成を指定するパラメータのセットを確認することに関する命令群を含みうる。さらに、この機械読取可能媒体は、対応するデータを、パラメータのセットにしたがって復号するための命令群を備えうる。
【００１７】
さらなる局面は、本明細書において、集積回路を備えた無線通信システムにおける装置に関する。この集積回路は、ページング・インジケータ・チャネルで送信を受信するように構成されうる。この集積回路はさらに、共通チャネルに含まれ、高速チャネルにおける対応するデータの構成を指定するパラメータのセットを確認するように構成されうる。さらに、この集積回路は、対応するデータを、パラメータのセットにしたがって復号するように構成されうる。
【００１８】
前述した目的および関連する目的を達成するために、１または複数の実施形態は、後に十分説明され特に特許請求の範囲において指摘される特徴を備える。以下の記述および添付図面は、１または複数の実施形態のある実例となる局面を詳細に述べる。しかしながら、これらの局面は、様々な実施形態の原理が適用される様々な方法のうちのほんの少ししか示しておらず、記載された実施形態は、そのような局面の全ておよびそれらの等価物を含むことが意図されている。
【図面の簡単な説明】
【００１９】
【図１】図１は、本明細書に述べられた様々な局面にしたがう無線通信システムの実例である。
【図２】図２は、無線通信環境内に適用するための通信装置の実例である。
【図３】図３は、ページング・チャネルと高速チャネルとの間の相対タイミング付けおよび動作を可能にする無線通信システムの実例である。
【図４】図４は、主題とする開示の局面にしたがった相対タイミング付けを示すタイミング図の実例である。
【図５】図５は、局面にしたがったページング・チャネルと高速チャネルとの間の相対タイミング図の実例である。
【図６】図６は、ページング・インジケータと高速データとの間の相対的な動作を示す図の実例である。
【図７】図７は、ページング・インジケータと高速データとの間の相対的な動作を示す図の実例である。
【図８】図８は、ページング・インジケータと高速データとの間の相対的な動作を示す図の実例である。
【図９】図９は、ページング・インジケータと高速データとの間の相対的な動作を示す図の実例である。
【図１０】図１０は、高速チャネルでモバイル・デバイスへデータを通知するページング・チャネルを適用することを容易にする方法論の実例である。
【図１１】図１１は、通知後に、ページング・チャネルで高速データを受信することを容易にする方法論の実例である。
【図１２】図１２は、データを示すページング・インジケータを高速チャネルで受信することを容易にするモバイル・デバイスの実例である。
【図１３】図１３は、高速チャネルに関連するページング・チャネルを適用することを容易にするシステムの実例である。
【図１４】図１４は、本明細書に記述された様々なシステムおよび方法と共に適用される無線ネットワーク環境の実例である。
【図１５】図１５は、ページング・チャネルが高速チャネルとともに適用されることを可能にするシステムの実例である。
【図１６】図１６は、ページング・インジケータに基づいて高速チャネル・データを受信するシステムの実例である。
【発明を実施するための形態】
【００２０】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＤＭＡ）システム、およびその他のシステムのような様々な無線通信システムのために使用される。「システム」、「ネットワーク」という用語は、しばしば交換可能に使用される。ＣＤＭＡシステムは、例えば、ユニバーサル地上ラジオ・アクセス（ＵＴＲＡ）、ＣＤＭＡ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、暫定規格（ＩＳ）−２０００、ＩＳ−９５規格、およびＩＳ−８５６規格をカバーする。ＴＤＭＡシステムは、例えばグローバル移動体通信システム（ＧＳＭ）のようなラジオ技術を実施することができる。ＯＦＤＭＡシステムは、例えばイボルブドＵＴＲＡ（イボルブドＵＴＲＡまたはＥ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）等のようなラジオ技術を実施することができる。ユニバーサル地上ラジオ・アクセス（ＵＴＲＡ）およびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを用いるＵＭＴＳの最新版であり、ダウンリンク上ではＯＦＤＭＡを用い、アップリンク上ではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からのドキュメントに記載されている。ＣＤＭＡ２０００とＵＭＢは、「第３世代パートナシップ計画２」（３ＧＰＰ２）と命名された組織からのドキュメントに記載されている。
【００２１】
様々な実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００２２】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、様々なデータ構造を格納して有する様々なコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２３】
さらに、本明細書では様々な実施形態が、モバイル・デバイスに関連して記載される。アクセス端末は、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、様々な実施形態が、基地局に関して説明される。基地局は、モバイル・デバイスと通信するために利用され、アクセス・ポイント、ノードＢ、またはその他幾つかの専門用語でも称されうる。
【００２４】
さらに、本明細書に記載の様々な局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述された様々な記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他様々な媒体を含みうる。
【００２５】
図１に示すように、無線通信システム１００が、本明細書に示された様々な実施形態に従って例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらのおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのグループのおのおのは、基地局１０２のセクタと称されうる。例えば、アンテナ・グループは、基地局１０２によってカバーされた領域のセクタ内のモバイル・デバイスに通信するように設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを利用することができる。また、基地局１０２が、関連する有効範囲にランダムに散在したモバイル・デバイス１１６、１１２に送信するためにビームフォーミングを利用している間、近隣セル内のモバイル・デバイスは、全てのモバイル・デバイスに対して単一アンテナによって送信している基地局に比べて、少ない干渉しか被らない。さらに、モバイル・デバイス１１６およびモバイル・デバイス１２２は、図示するように、ピア・トゥ・ピアまたはアド・ホック技術を用いて互いに直接的に通信することができる。
【００２８】
図２では、無線通信環境内で適用するための通信装置２００が例示されている。この通信装置２００は、基地局あるいはその一部、モバイル・デバイスあるいはその一部、あるいは無線通信環境で送信されたデータを受信する実質的に任意の通信装置でありうる。ページング・インジケータ・チャネル（ＰＩＣＨ）は、ページされているであろうことをモバイル・デバイスに通知するために使用されうる。モバイル・デバイスは、ページをベリファイするために、別のチャネルを読む。従来、モバイル・デバイスは、第２の共通制御物理チャネル（Ｓ−ＣＣＰＣＨ）を読んでいる。しかしながら、この通信装置は、Ｓ−ＣＣＰＣＨチャネルに加えて、高速チャネルを用いてＰＩＣＨを使用することができる。例えば、高速チャネルは、高速物理ダウンリンク共有チャネル（ＨＳ−ＰＤＳＣＨ）および／または高速共有制御チャネル（ＨＳ−ＳＣＣＨ）を含みうる。この通信装置は、以下に示すように、高速チャネルを用いたＰＩＣＨチャネルのタイミング付けおよび動作を容易にする構成要素を使用することができる。通信装置２００は、１または複数のモバイル・デバイスへページング・インジケータを送信することができるページャ２０２と、ページング・インジケータに対応するモバイル・デバイスのために、ＰＩＣＨチャネルに関連したデータをスケジュールして送信することができるＨＳスケジューラ２０４とを含みうる。
【００２９】
例によれば、通信装置２００は、モバイル・デバイスおよび／または複数のモバイル・デバイスをページングすることを容易にするために、高速チャネル、または、Ｓ−ＣＣＰＨに関連したＰＩＣＨチャネルを利用することができる。それは、例えば、通信装置２００が、モバイル・デバイスへ送信されるデータ（例えば、着呼、ダウンロード可能データ等）を検知した場合に生じる。ページャ２０２は、ＰＩＣＨチャネルでモバイル・デバイスへページング・インジケータを送る。ページャ２０２は、複数のモバイル・デバイスへ、複数のページング・インジケータを送信しうることが認識されるべきである。１つの実施形態では、ページング・インジケータは、ページャ２０２によってＰＩＣＨフレーム内に設定される。このページング・インジケータは、データが少なくとも１つの他のチャネルにあることをモバイル・デバイスに通知する。モバイル・デバイスは、ページング・インジケータがモバイル・デバイスにページを実際に指定したこと（例えば、他のチャネルのデータがモバイル・デバイスのデータであること）を確認するために他のチャネルを読む。ページャ２０２は、例えば高速共有制御チャネル（例えば、ＨＳ−ＳＣＣＨ）および／または高速共有データ・チャネル（例えば、ＨＳ−ＤＳＣＨ、ＨＳ−ＰＤＳＣＨ等）のような高速チャネルと、Ｓ−ＣＣＰＣＨチャネルとの両方と共に動作する。ページング・インジケータがユーザ機器またはモバイル・デバイスによって受信された場合、ページング・インジケータは、関連する高速チャネルで、特定の時間インスタンス（例えば、サブフレーム）で、フル・ページング・メッセージ、その他の制御プレーン・データ、あるいはユーザ・プレーン・データのようなさらなる情報を受信することを期待すべきであるとモバイル・デバイスに通知する。ページング・インジケータと高速チャネルとの間の関連性は、規格として確立されたパラメータのセットであるか、あるいは、共通チャネルでオーバヘッド・シグナリング・メッセージでシグナルされたパラメータのセットによって決定されうる。通信装置２００は、高速チャネルでのデータの範囲、長さ、およびタイミングを定義するパラメータのセットを与える。１つの実施形態では、基地局２００は、共通チャネルでパラメータのセットをアナウンスすることができる。別の局面によれば、基地局２００は、共通チャネルでサブセットをアナウンスし、このセットにおける残りのパラメータは、（例えば、専用チャネルでシグナルされる）専用メッセージによる送信毎にアナウンスされうる。例示によれば、このパラメータのセットは、例えば、他のシステム情報とともにブロードキャスト・チャネルで送信されうる。他の共通チャネルも適用されることが認識されるべきである。例えば、パラメータのセット、あるいはそのサブセットは、高速共有制御チャネル（例えば、ＨＳ−ＳＣＣＨチャネル）で送信されうる。これらのパラメータは、高速チャネルでページング・インジケータに関連するデータをスケジュールするために、ＨＳスケジューラ２０４によって利用されうる。
【００３０】
ＨＳスケジューラ２０４は、ページャ２０２によって提供されたパラメータのセットに少なくとも部分的に基づいて、高速チャネルでページング・インジケータに関連するモバイル・デバイスのためのデータをスケジュールすることができる。これらパラメータは、ＰＩＣＨチャネルにおけるページング・インジケータに関連する高速共有データ・チャネル・サブフレームまたは高速制御チャネル・サブフレームのセットを示す。例えば、このパラメータのセットは、モバイル・デバイスが受信することを試みるべきサブフレームの数と、ＨＡＲＱシナリオで可能な再送信の数と、別のモバイル・デバイスへ向けられたサブフレーム間の多重化またはインタリーブの程度と、および／または、モバイル・デバイスが、正しい受信の後にモニタすべきサブフレームの数とを示すことができる。ページャ２０２によってＰＩＣＨ内に設定されたページング・インジケータは、ページング・メッセージ、モバイル・デバイスに特有の上部レイヤ・シグナリング、または、モバイル・デバイス特有データが、そのモバイル・デバイスのためにスケジュールされるべきであることを示しうる。ＨＳスケジューラ２０４は、ページング・メッセージ、上部レイヤ・シグナリング、あるいは、デバイス特有データを、高速チャネルの関連フレームのうちの１つでスケジュールすることができる。ＨＳスケジューラ２０４は、チャネルの寿命に関して決定されたオフセットに基づいてスケジュールするための適切な時間を決定する。
【００３１】
次に図３に移って、例えば高速共有制御チャネルおよび／または高速共有データ・チャネルのような高速チャネルでデータを受信するために利用されるページング・インジケータを生成する無線通信システム３００が例示されている。このシステム３００は、モバイル・デバイス３０４（および／または、（図示しない）任意の数の異種のモバイル・デバイス）と通信する基地局３０２を含む。基地局３０２は、順方向リンク・チャネルでモバイル・デバイス３０４に情報を送信することができ、基地局３０２はさらに、逆方向リンク・チャネルでモバイル・デバイス３０４から情報を受信することができる。さらに、システム３００は、ＭＩＭＯシステムでありうる。さらに、システム３００は、ＯＦＤＭＡ無線ネットワーク、３ＧＰＰ  ＬＴＥ無線ネットワーク等で動作しうる。また、基地局３０２内の図示され以下に説明される構成要素および機能は、モバイル・デバイス３０４内にも存在することができ、一例では、図示された構成は、説明を簡単にするために、これらの構成要素を省いている。
【００３２】
基地局３０２は、１または複数のモバイル・デバイスへページング・インジケータ３１８を送信するページャ３０６と、モバイル・デバイスのため、ページング・インジケータ３１８に関連付けられたデータをスケジュールして送信するＨＳスケジューラ３０８とを含む。さらに、基地局３０２は、共通チャネル３２０（例えば、ＨＳ−ＳＣＣＨ、ブロードキャスト・チャネル等）でモバイル・デバイス３０４へ送られるパラメータのセット３２２を決定することができるパラメータ・セレクタ３１０を含みうる。パラメータのセット３２２は、モバイル・デバイス３０４が、ページング・インジケータ３１８に応答して高速チャネル３２４でデータを受信したときに利用するコンフィグレーションを確立することができる。パラメータ・セレクタ３１０は、システム３００のコンフィグレーションのみならず、モバイル・デバイス３０４へ送信されるべきデータの内容および範囲に基づいてパラメータ３２２を確かめることができる。例えば、パラメータ・セレクタ３１０は、パラメータ３２２がシステム３００のコンフィグレーション（例えば、ＨＡＲＱコンフィグレーション、ＨＳ−ＳＣＣＨ動作、非ＨＳ−ＳＣＣＨ動作等）に従うように、ページング・インジケータ３１８に関連する高速送信のためのパラメータ３２２を選択する。
【００３３】
モバイル・デバイス３０４は、データがページング・インジケータ３１８と連携してＨＳチャネル３２４でどのように送信されるかを決定するために、パラメータのセット３２２を分析するパラメータ・アナライザ３１２と、分析されたパラメータにしたがって、高速チャネル３２４（例えば、ＨＳ−ＳＣＣＨ、ＨＳ−ＰＤＳＣＨ、ＨＳ−ＤＳＣＨ等）でデータを取得するＨＳデコーダ３１４とを含む。一例において、モバイル・デバイス３０４は、モバイル・デバイス３０４がページされている可能性を示すページング・インジケータ３１８を、ページング・インジケータ・チャネル３１６で、基地局３０２から受信する。モバイル・デバイス３０４は、ページされているかを確認するために、別のチャネルを読むことができ、もしもページされているのであれば、その他のチャネルでデータを取得する。例によれば、その他のチャネルとは、高速チャネル３２４であることができ、取得されたデータは、高速データ３２６でありうる。
【００３４】
例によれば、基地局３０２は、モバイル・デバイス３０４のためのデータを得ることができる。このデータは、他のモバイル・デバイスから、基地局３０２に通信可能に接続されたネットワーク上の有線デバイスから、あるいは、サーバ等からのもの（例えば、音声通信、データ転送等）でありうる。基地局３０２は、モバイル・デバイス３０４へ送信されるデータ（例えば、電力制御データ、割当データ等）を保持しうることが認識されるべきである。基地局３０２のページャ３０６は、データが待機中であることをモバイル・デバイス３０４へ通知するために、ページング・インジケータ・チャネル（ＰＩＣＨ）３１６でページング・インジケータ３１８をモバイル・デバイス３０４へ送信しうる。ページング・インジケータ３１８のタイミングは、モバイル・デバイス３０４の不連続受信（ＤＲＸ）／ウェイク・アップ・サイクルに少なくとも部分的に基づきうる。例えば、ページャ３０６は、ＤＲＸ期間毎にページを傍受するためにモバイル・デバイス３０４がウェイク・アップする場合に、ページング・インジケータ３１８を設定する。ページャ３０６は、高速チャネル３２４（例えば、ＨＳ−ＳＣＣＨチャネルまたはＨＳ−ＰＤＳＣＨチャネル）の関連するサブフレームで高速データ３２６がスケジュールされていることをモバイル・デバイス３０４へ通知するために、ＰＩＣＨフレーム内にページング・インジケータ３１８を設定する。１つの局面では、高速データ３２６は、ページング・メッセージ、モバイル・デバイス３０４に特有の上部レイヤ・シグナリング、あるいは、モバイル・デバイス３０４に特有のデータを含みうる。例示的な実施形態によれば、ＰＩＣＨチャネル３１６に設定されたページング・インジケータ３１８は、ＨＳチャネル３２４上の関連するサブフレームのセットを指す。ページング・インジケータ３１８に続いて、基地局３０２のＨＳスケジューラ３０８は、パラメータ・セレクタ３１０によって確立されたパラメータのセット３２２にしたがって、高速チャネル３２４で高速データ３２６をスケジュールする（例えば、関連するサブフレームのセットにおける情報をスケジュールする）。ページング・インジケータ３１８を持つＰＩＣＨフレームが終了する時間と、関連するサブフレームのセットにおける最初のサブフレームの先頭との間のタイミング・オフセットが、チャネルの寿命について確立される。このタイミング・オフセットは、共通チャネル３２０で基地局３０２によって送信されうる。モバイル・デバイス３０４は、ページング・インジケータ３１８の受信と、高速チャネル３２４で送信される関連情報３２６とを適切に同期させるためにタイミング・オフセットを適用することができる。
【００３５】
基地局３０２は、共通チャネル３２０でオーバヘッド・シグナリングとして送信されるパラメータのセット３２２を決定するパラメータ・セレクタ３１０を提供する。パラメータのセット３２２は、ページング・インジケータ３１８に関連するデータ３２６がどのようにして高速チャネル３２４で送信されるかに関連している。パラメータ・セレクタ３１０は、ページング・インジケータ３１８によって示される高速サブフレーム（例えば、ＨＳ−ＳＣＣＨ／ＨＳ−ＰＤＳＣＨサブフレーム）の第１のセットを確認する。ＮＵＭ＿ＨＳ＿ＳＵＢＦＲＡＭＥＳ＿ＳＥＴ１と示されうるこのパラメータは、モバイル・デバイス３０４が受信を試みるサブフレームの数を示す。局面によれば、この値は、ｎ個のフレームでありうる。ここでｎは、５と２０とを含むそれらの間の整数値である。さらに、パラメータ・セレクタ３１０は、モバイル・デバイス３０４が受信を試みるサブフレームの第２のセットを決定することができる。パラメータＮＵＭ＿ＨＳ＿ＳＵＢＦＲＡＭＥＳ＿ＳＥＴ２は、モバイル・デバイス３０２が、第１のセットを正しく受信した後、モニタリングを拡張するサブフレームの数を示す。さらに、パラメータ・セレクタ３１０は、ハイブリッド自動反復要求（ＨＡＲＱ）コンフィグレーションに関連するパラメータを決定することができる。例えば、パラメータ・セレクタ３１０は、順方向リンク・オンリーのための送信反復数を示すＢＬＩＮＤ＿ＨＡＲＱ＿ＮＵＭ＿ＲＥＴＲＡＮＳを確立することができる。さらに、パラメータ・セレクタ３１０は、前述した再送信のためのサブフレームに関する間隔を示すＢＬＩＮＤ＿ＨＡＲＱ＿ＳＴＲＩＤＥを確立することができる。例示によれば、順方向リンク送信は、（ＢＬＩＮＤ＿ＨＡＲＱ＿ＳＴＲＩＤＥ＋１）サブフレーム毎に、ＢＬＩＮＤ＿ＨＡＲＱ＿ＮＵＭ＿ＲＥＴＲＡＮＳ回反復される。局面によれば、ＢＬＩＮＤ＿ＨＡＲＱ＿ＮＵＭ＿ＲＥＴＲＡＮＳは、０と７とを含むそれらの間の整数であることができ、ＢＬＩＮＤ＿ＨＡＲＱ＿ＳＴＲＩＤＥは、０と５とを含むそれらの間で設定されうる。パラメータ・セレクタ３１０は、選択されたパラメータに基づいて、ＨＡＲＱインスタンスの数の下限および上限を決定することができる。例えば、上限は、（ＮＵＭ＿ＨＳ＿ＳＵＢＦＲＡＭＥＳ＿ＳＥＴ１／（ＢＬＩＮＤ＿ＨＡＲＱ＿ＮＵＭ＿ＲＥＴＲＡＮＳ＋１））によって与えられ、下限も、同じ式によって与えられうる。さらに、パラメータ・セレクタ３１０は、どのようにＨＡＲＡをスケジュールするかをＨＳスケジューラ３０８に指示する。実例によれば、（（ＢＬＩＮＤ＿ＨＡＲＱ＿ＳＴＲＩＤＥ＋１））個のＨＡＲＡのおのおのがインタリーブされる。ストライド・パラメータがゼロである場合、送信は、連続的になされ、ストライド・パラメータが１に設定されている場合、２つのＨＡＲＱがインタリーブされる如くである。
【００３６】
別の局面によれば、パラメータ・セレクタ３１０は、ネットワークまたはその他のエンティティのコンフィグレーションに基づいて、パラメータを決定することができる。例えば、規則的なＨＳ−ＳＣＣＨおよびＨＳ−ＳＣＣＨによるより少ない動作が適用されうる。しかしながら、パラメータ・セレクタ３１０は、モバイル・デバイス３０４がＣｈａｓｅ結合を適用することを可能にするために、正確なビットＨＳ−ＳＣＣＨ反復が利用されるべきであることを示す。さらに、インクリメント・リダンダンシＨＡＲＱが予め定義され、パラメータ・セレクタ３１０が、この定義を利用することができる。さらに、パラメータ・セレクタ３１０は、達成され得ないパラメータの結合を回避するために、共通チャネル３２０でパラメータ符号化を最適化することができる。さらに、接続ネゴシエーションの間、パラメータのセット３２２が、モバイル・デバイス３０４へ伝送されうることが認識されるべきである。
【００３７】
モバイル・デバイス３０４は、ページング・インジケータ３１８を受信すると、例えば、Ｓ−ＣＣＰＣＨチャネル、ＨＳ−ＳＣＣＨチャネル、ＨＳ−ＰＤＳＣＨチャネル、あるいは他の高速チャネルのような別のチャネルでスケジュールされた高速データ送信３２６を基地局３０２から取得しうる。パラメータ・アナライザ３１２は、基地局３０２のパラメータ・セレクタ３１０によって確立されるパラメータを決定するために、共通チャネル３２０のパラメータのセット３２２を分析する。これらパラメータ３２２は、モバイル・デバイス３０４に対して、受信すべきサブフレーム、および／または、サブフレームがどのように体系化されるのかを伝える。チャネルの寿命に対して確立されたタイミング・オフセットは、パラメータ・アナライザ３１２によって決定された関連するサブフレームのセットが、ＨＳチャネル３２４でいつスケジュールされたのかを示す。モバイル・デバイス３０４のＨＳデコーダ３１４は、その後、これらパラメータにしたがって、サブフレームを受信して復号する。例えば、ＨＳデコーダ３１４は、対応するパラメータによって示されるＨＳチャネル３２４で多くのサブフレームを受信して復号する。サブフレームの第１のセットを正しく受信した後、ＨＳデコーダ３１４は、サブフレームの第２のセットをモニタして、その受信を試みる。
【００３８】
別の局面によれば、システム３００は、ＨＳ−ＳＣＣＨ動作および非ＨＳ−ＳＣＣＨ動作の両方をサポートする。これらの動作は、ネットワークによって設定される。非ＨＳ−ＳＣＣＨ動作では、モバイル・デバイス３０４は、伝送フォーマットのセットを用いて設定される。さらに、モバイル・デバイス３０４は、ブラインド復号される１または複数のウォルシュ・チャネルを用いて設定される。さらに、例示的な実施形態によれば、２つの高速ダウンリンク共有チャネル（ＨＳ−ＤＳＣＨ）ラジオ・ネットワーク・トランザクション識別子（Ｈ−ＲＮＴＩ）が、モバイル・デバイス３０４によって常にモニタされる。１つの局面では、２つのＨ−ＲＮＴＩは、共通および専用のＨ−ＲＮＴＩでありうる。
【００３９】
図４に示すように、ＰＩＣＨ−ＨＳタイミング付けを例示するタイミング図４００である。タイミング図４００は、通信システムにおける様々なチャネル間の相対的なタイミングを示す。例えば、タイミング図４００は、第１および第２の同期チャネル（ＳＣＨ）、任意の共通パイロット・チャネル（ＣＰＩＣＨ）、第１の共通制御チャネル（Ｐ−ＣＣＰＣＨ）、第２の共通制御チャネル（Ｓ−ＣＣＰＣＨ）、ページング・インジケータ・チャネル（ＰＩＣＨ）、獲得インジケータ・チャネル（ＡＩＣＨ）アクセス・スロット、専用物理チャネル（ＤＰＣＨ）、断片的な専用物理チャネル（Ｆ−ＤＰＣＨ）およびＨＳ−ＳＣＣＨサブフレームを含む。ＰＩＣＨは、Ｓ−ＣＣＰＣＨとＨＳ−ＳＣＣＨとの両方で使用することができる。タイミング図４００に示すように、Ｓ−ＣＣＰＣＨおよびＨＳ−ＳＣＣＨは、異なるタイミングで動作する。したがって、このタイミング差に対応するためにオフセットを決定する必要がある。
【００４０】
ＰＩＣＨはＳ−ＣＣＰＣＨとＨＳ−ＳＣＣＨとの両方にサービス提供することができるので、従来のタイミングは、調節を必要とする。従来、ＰＩＣＨは、Ｓ−ＣＣＰＣＨにサービス提供し、ＰＩＣＨフレームと、関連するＳ−ＣＣＰＣＨフレームとの間のオフセットを示すタイミングτＰＩＣＨを与えた。実施形態では、τＰＩＣＨは、７６８０チップ持続する。しかしながら、ＰＩＣＨフレーム後の持続時間は、ＨＳ−ＳＣＣＨサブフレームの中央部と揃ってしまう。したがって、更なるオフセットτＨＳ−ＳＣＣＨが確立される必要がある。例示によれば、τＨＳ−ＳＣＣＨは、タイミング図４００に例示するように、ＨＳ−ＳＣＣＨサブフレームおよびＰＩＣＨフレームそれぞれのフレーム・オフセットによって決定される。
【００４１】
図５に移って、ＰＩＣＨとＨＳ−ＳＣＣＨとの間のタイミング付けをさらに示す典型的なタイミング図５００が例示される。このタイミング図５００は、関連するＨＳ−ＳＣＣＨサブフレーム５０４のセットを示すページング・インジケータを含むＰＩＣＨフレーム５０２と、それらの間のタイミング・オフセットを指定するオフセット５０６とを含む。一例によれば、関連するサブフレーム５０４内の第１のＨＳ−ＳＣＣＨサブフレームは、ページング・インジケータを含むＰＩＣＨフレーム５０２が送信された後、τＰＩＣＨ＋τＨＳ−ＳＣＣＨチップで始まる。例によれば、τＰＩＣＨは７６８０チップである。したがって、τＨＳ−ＳＣＣＨは、ＰＩＣＨｆｒａｍｅに７６８０チップを加えた後に計算された時間オフセットとして決定されうる。局面によれば、τＨＳ−ＳＣＣＨは、７６８０未満（例えば、τＰＩＣＨの持続時間未満）のチップである。別の局面によれば、τＨＳ−ＳＣＣＨはゼロでありえる。したがって、τＰＩＣＨは、必要とされる唯一のタイミングであり、ＨＳ−ＳＣＣＨ／ＨＳ−ＤＳＣＨにのみ関連しうる。さらに、多数すなわち複数のＨＳチャネル（例えば、ＨＳ−ＳＣＣＨおよび／またはＨＳ−ＤＳＣＨ）を指す多数のＰＩＣＨチャネルが存在しうることが認識されるべきである。
【００４２】
図６乃至図９に示すように、典型的な図が主題開示の局面にしたがって示される。説明を単純にするために、これらの例は、ＰＩＣＨチャネル、ＨＳ−ＳＣＣＨチャネル、およびＨＳ−ＰＤＳＣＨチャネルを含むタイミング図を示す。チャネルの行におけるおのおののブロックは、フレームおよび／またはサブフレームを示す。図６乃至図９は、例示目的のためであって、開示された主題は、これら例の範囲に限定されないことが認識されるべきである。当業者は、タイミング図が、他のチャネル・ペアリング、パラメータ組み合わせ等にどのようにして拡張されるかを認識すべきである。
【００４３】
図６では、２つのユーザ機器（ＵＥ）デバイスであるＵＥ１とＵＥ２を用いたＰＩＣＨ−ＨＳ動作を示す例６００が示される。例６００において、パラメータＮＵＭ＿ＨＳ＿ＳＣＣＨ＿ＳＥＴ１は５であり、ＢＬＩＮＤ＿ＨＡＲＱ＿ＮＵＭ＿ＲＥＴＲＡＮＳは４であり、ＢＬＩＮＤ＿ＨＡＲＱ＿ＳＴＲＩＤＥは０であり、ＢＬＩＮＤ＿ＨＳ＿ＳＣＣＨ＿ＳＥＴ２は０である。例６００に示されるように、ＵＥ１は、ＵＥ１へのページング・インジケータを含むＰＩＣＨラジオ・フレームの終了後の３つのＨＳ−ＳＣＣＨサブフレームをウェイク・アップさせる。ＵＥ１は、５つのサブフレームについて、関連するＨＳ−ＳＣＣＨチャネルまたは非ＨＳ−ＳＣＣＨチャネル（例えば、ＨＳ−ＰＤＳＣＨ）における任意の送信の復号を試みる。この送信は、５つのサブフレームについて反復される。その結果、ＵＥ１は、不連続受信（ＤＲＸ）を使用することができる。同様に、ＵＥ２は、ＵＥ２へのページング・インジケータを含むＰＩＣＨラジオ・フレームの終了後の３つのサブフレームをウェイク・アップさせる。ＵＥ２は、非ＨＳ−ＳＣＣＨ動作を適用するように構成されており、次の５つのサブフレームについて、ＨＳ−ＰＤＳＣＨチャネルにおける任意の送信を復号することを試みる。
【００４４】
図７では、ＰＩＣＨ−ＨＳ動作を示す例７００が示される。例７００において、パラメータＮＵＭ＿ＨＳ＿ＳＣＣＨ＿ＳＥＴ１は５であり、ＢＬＩＮＤ＿ＨＡＲＱ＿ＮＵＭ＿ＲＥＴＲＡＮＳは４であり、ＢＬＩＮＤ＿ＨＡＲＱ＿ＳＴＲＩＤＥは０であり、ＢＬＩＮＤ＿ＨＳ＿ＳＣＣＨ＿ＳＥＴ２は１０である。したがって、例７００では、ＵＥがモニタして、第１のセットが正しく受信された後、第１のセットと同じ条件の下で、１０のサブフレームを受信することを試みる。ＵＥは、ページング・インジケータを含むＰＩＣＨラジオ・フレームの終了後に、３つのＨＳ−ＳＣＣＨサブフレームをウェイク・アップさせる。ＵＥは、関連するＨＳ−ＳＣＣＨチャネルまたは非ＨＳ−ＳＣＣＨチャネルによる任意の送信の復号を試みる。ここで、この送信は、５つの連続したサブフレームにわたって反復される。ＵＥが、ＵＥに向けられたＨＳ−ＰＤＳＣＨ送信またはＨＳ−ＳＣＣＨ送信を正しく復号すると、次の１０のサブフレームにわたってパケットを受信することを試みる。
【００４５】
図８では、例８００が、主題となる開示の局面にしたがって例示される。例８００は、図７で示された例７００と類似している。しかしながら、例８００では、ＰＩＣＨは、Ｓ−ＣＣＰＣＨチャネルと揃っている。Ｓ−ＣＣＰＣＨチャネルは、Ｐ−ＣＣＰＣＨラジオ・フレームと揃っていない。
【００４６】
図９では、例９００が、主題となる開示の別の局面にしたがって示されている。例９００では、高速動作に対するＰＩＣＨが、２つのＵＥであるＵＥ１とＵＥ２とを用いて示される。例９００において、パラメータＮＵＭ＿ＨＳ＿ＳＣＣＨ＿ＳＥＴ１は１２であり、ＢＬＩＮＤ＿ＨＡＲＱ＿ＮＵＭ＿ＲＥＴＲＡＮＳは２であり、ＢＬＩＮＤ＿ＨＡＲＱ＿ＳＴＲＩＤＥは１であり、ＢＬＩＮＤ＿ＨＳ＿ＳＣＣＨ＿ＳＥＴ２は０である。この例において示されるように、ＵＥ１とＵＥ２は、ＵＥ１とＵＥ２に対するページング・インジケータを含むＰＩＣＨラジオ・フレームの終了後の３つのサブフレームをウェイク・アップさせる。ＵＥ１とＵＥ２は、次の１２のサブフレームについて、ＨＳ−ＳＣＣＨチャネルまたはＨＳ−ＰＤＳＣＨチャネル（例えば、非ＨＳ−ＳＣＣＨチャネル）における任意の送信の復号を試みる。送信は、１フレーム隔離された３つのフレームについて反復される。例９００に示すように、ＵＥ１に向けられたサブフレームは、ＵＥ２に向けられたサブフレームを用いてインタリーブされる。１２のサブフレームを受信した後、ＵＥ１とＵＥ２はＤＲＸを利用することができる。
【００４７】
図１０および図１１では、ＰＩＣＨチャネルにおけるページング・インジケータに関するＨＳタイミングおよび動作の提供に関連する方法論が示される。説明を単純にする目的のために、これら方法論は、一連の動作として図示および説明されているが、幾つかの動作は、１または複数の実施形態にしたがって、本明細書に図示され説明されたものとは異なる順序および／または他の動作と同時に起こりうるので、これら方法論は、この動作順に限定されないことが理解され認識されるべきである。例えば、当業者は、方法論が、例えば状態図のような相互関連する一連の状態またはイベントとしても表すことができることを理解および認識するであろう。さらに、１または複数の実施形態にしたがって方法論を実施するために、必ずしも例示された全ての動作が必要とされる訳ではない。
【００４８】
図１０に移って、モバイル・デバイスに高速チャネルでデータを通知するためにページ・チャネルを適用することを容易にする方法論１０００が例示される。参照番号１００２では、高速データが高速チャネルでどのようにして受信されるのかを示すために、モバイル・デバイスへ共通チャネルで送信されるパラメータが決定される。１つの局面では、この共通チャネルは、ブロードキャスト・チャネルでありうる。専用チャネルもまた適用されることが認識されるべきである。例えば、例によれば、高速チャネルにおける高速データは、ＰＩＣＨチャネルにおけるページング・インジケータに関連付けられる。参照番号１００４では、決定されたパラメータにしたがって、高速チャネルで高速データがスケジュールされる。１つの実施形態では、この高速データは、（例えば、ＨＳ−ＳＣＣＨのような）高速共有制御チャネルにおける制御データであるか、あるいは、（例えば、ＨＳ−ＤＳＣＨのような）高速共有データ・チャネルにおけるユーザ・データでありうる。例えば、これらのパラメータは、送信の反復回数と、他のモバイル・デバイスに向けられた１または複数の送信間のインタリーブの程度とを決定することができる。参照番号１００６では、ページング・インジケータが、少なくとも１つのモバイル・デバイスへ送信される。例示によれば、このページング・インジケータは、決定されたパラメータにしたがって高速チャネルでスケジュールされた設定されたサブフレームに関連付けられる。参照番号１００８では、少なくとも１つのモバイル・デバイスへ、高速データが送られる。高速データは、関連するサブフレームのセットでスケジュールされたように送られる。
【００４９】
図１１に示すように、ページング・チャネルでの通知後に高速データを受信することを容易にする方法論１１００が例示される。１１０２では、例えばＰＩＣＨチャネルのようなページング・チャネルでページング・インジケータが受信される。ＰＩＣＨにおけるページング・インジケータは、ページング・メッセージ、モバイル・デバイスに特有の上部レイヤ・シグナリング、あるいはモバイル・デバイス特有データが、関連する高速チャネルでスケジュールされることを示す。参照番号１１０４では、共通チャネルにおけるデータが分析され、そこに含まれるパラメータが決定される。これらパラメータは、ページング・インジケータに関連する高速データが、どのようにして高速チャネルでスケジュールされるかを定めることができる。これらパラメータは、幾つのサブフレームの受信を試みるか、サブフレームのコンフィグレーション、および、正しい受信に続いてモニタするか否かについてモバイル・デバイスに指示する。参照番号１１０６では、決定されたパラメータにしたがって高速データが得られる。参照番号１１０８では、ページング・インジケータにしたがって取得された高速データが正しく受信された後、さらなる高速送信がモニタされる。
【００５０】
本明細書に記載された１または複数の局面にしたがって、無線通信ネットワークにおける高速チャネルに関連するデータを指定するために、ページング・インジケータで適用されるパラメータの選択および／または決定に関する推論がなされうることが認識されるだろう。本明細書で使用されるように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００５１】
図１２は、高速チャネルにおけるデータを示すページング・インジケータを受信することを容易にするモバイル・デバイス１２００を例示する。モバイル・デバイス１２００は、例えば（図示しない）受信アンテナから信号を受信し、受信した信号に一般的な動作（例えば、フィルタ、増幅、ダウンコンバート等）を実行し、これら調整された信号をデジタル化してサンプルを取得する受信機１２０２を備える。受信機１２０２は、受信したシンボルを復調し、チャネル推定のためにそれらをプロセッサ１２０６へ提供する復調器１２０４を備えうる。プロセッサ１２０６は、受信機１２０２によって受信された情報を分析すること、および／または、送信機１２１６による送信のための情報を生成することに特化されたプロセッサ、モバイル・デバイス１２００の１または複数の構成要素を制御するプロセッサ、および／または、受信機１２０２によって受信された情報の分析と、送信機１２１６によって送信される情報の生成と、モバイル・デバイス１２００の１または複数の構成要素の制御との両方を行うプロセッサでありうる。
【００５２】
モバイル・デバイス１２００はさらに、メモリ１２０８を備える。このメモリ１２０８はプロセッサ１２０６に動作可能に接続されており、送信されるデータ、受信したデータ、利用可能なチャネルに関連する情報、分析された信号および／または干渉強度に関するデータ、割り当てられたチャネル、電力、レート等に関連する情報、および、チャネルの推定およびこのチャネルによる通信のために適したその他任意の情報を格納することができる。メモリ１２０８はさらに、（例えば、パフォーマンス・ベース、容量ベース等で）チャネルを推定および／または利用することに関連するプロトコルおよび／またはアルゴリズムを格納することができる。
【００５３】
本明細書で記載されたデータ・ストア（例えばメモリ１２０８）は、揮発性メモリまたは不揮発性メモリの何れかであるか、あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。対象とするシステムおよび方法のメモリ１２０８は、限定される訳ではないが、これらおよびその他任意の適切なタイプのメモリを備えることが意図される。
【００５４】
プロセッサ１２０６はさらに、データが、例えば前述したようなページング・インジケータに関連して高速チャネルでどのようにして送信されるのかを決定するために、受信機１２０２によって受信されたパラメータを分析することができるパラメータ・アナライザ１２１０に動作可能に接続されうる。一例において、ページング・インジケータは、ページング・メッセージ、ユーザ機器特有の上部レイヤ・シグナリング、あるいは、デバイス特有データが、高速チャネルでスケジュールされたことを示すことができる。共通チャネルは、スケジュールされた高速データのタイミングおよび体系を決定するパラメータを送信することができる。パラメータ・アナライザ１２１０は、モバイル・デバイス１２００が、これらパラメータにしたがってデータを受信するように自身を構成できるようにパラメータをベリファイすることができる。
【００５５】
プロセッサ１２０６はまた、パラメータ・アナライザ１２１０によって決定されたパラメータにしたがって、（例えば、ＨＳ−ＳＣＣＨチャネルまたはＨＳ−ＰＤＳＣＨチャネルのような）高速チャネルで高速データを取得するＨＳデコーダ１２１２と動作可能に接続されうる。一例によれば、モバイル・デバイス１２００は、データに関連したページング・インジケータを高速チャネルで受信することができ、ＨＳデコーダ１２１２は、データを受信して、共通チャネルで受信されたパラメータに基づいて復号することができる。例によれば、ＨＳデコーダ１２１２は、対応するパラメータによって示された高速チャネル上の多くのサブフレームを復号することができる。サブフレームの第１のセットを正しく受信した後、ＨＳデコーダ１２１２は、サブフレームの第２のセットをモニタし、その受信を試みる。モバイル・デバイス１２００はさらに、信号を変調する変調器１２１４と、その信号を例えば基地局や他のモバイル・デバイス等に送信する送信機１２１６とを備える。プロセッサ１２０６と個別に示されているが、ＨＳデコーダ１２１２、復調器１２０４、および／または変調器１２１４は、プロセッサ１２０６または複数のプロセッサ（図示せず）の一部でありうることが認識されるべきである。
【００５６】
図１３は、上述したように、高速チャネルに関連するページング・チャネルを適用することを容易にするシステム１３００の例示である。システム１３００は、複数の受信アンテナ１３０６によって１または複数のモバイル・デバイス１３０４から信号を受信する受信機１３１０と、送信アンテナ１３０８によって１または複数のモバイル・デバイス１３０４へ送信する送信機１３２４とを備える基地局１３０２（例えば、アクセス・ポイント等）を備える。受信機１３１０は、受信アンテナ１３０６から情報を受信する。そして、受信した情報を復調する復調器１３１２と動作可能に関連付けられている。復調されたシンボルは、図１２に関連して上述されメモリ１３１６に接続されたプロセッサに類似したプロセッサ１３１４によって分析される。メモリ１３１６は、信号（例えば、パイロット）強度および／または干渉強度を推定することに関連する情報と、モバイル・デバイス１３０４（あるいは、（図示しない）別の基地局）へ送信されるか、あるいはモバイル・デバイス１３０４から受信されたデータと、および／または、本明細書で述べられた様々な動作および機能を実行することに関連するその他任意の情報とを格納する。プロセッサ１３１４はさらに、１または複数のモバイル・デバイス１３０４へ送信されるページング・インジケータを設定するページャ１３１８へ接続されている。さらに、プロセッサ１３１４は、共通チャネルで送信されるページング・インジケータおよびパラメータに対応するモバイル・デバイス１３０４に関するＰＩＣＨチャネルに関連する高速データをスケジュールして送信するＨＳスケジューラ１３２０に接続されうる。
【００５７】
一例によれば、基地局１３０２は、モバイル・デバイス１３０４のためのデータを取得することができる。このデータは、基地局１３０２、サーバ等に通信可能に接続されたネットワークにおける他のモバイル・デバイスや有線デバイスからのもの（例えば、音声通信、データ転送等）でありうる。基地局１３０２は、モバイル・デバイス１３０４へ送信されるべきデータ（例えば、電力制御データ、割当データ等）を処理できることが認識されるべきである。ページャ１３１８は、データが待機中であることをモバイル・デバイス１３０４に通知するために、ＰＩＣＨチャネルでモバイル・デバイス１３０４へページング・インジケータを送信することができる。ページング・インジケータの後、基地局１３０２のＨＳスケジューラ１３２０は、共通チャネルのパラメータにしたがって、高速チャネルにおける特有データ、上部レイヤ・シグナリング、および／またはページング・メッセージをスケジュール（例えば、関連するサブフレームのセットで情報をスケジュール）する。プロセッサ１３１４とは別に示されているが、ページャ１３１８、ＨＳスケジューラ１３２０、復調器１３１２、および／または、変調器１３２２は、プロセッサ１３１４または複数のプロセッサ（図示せず）の一部でありうることが認識されるべきである。
【００５８】
図１４は、無線通信システム１４００の一例を示す。無線通信システム１４００は、簡潔さの目的で、１つの基地局１４１０および１つのモバイル・デバイス１４５０を示している。しかしながら、システム１４００は、１より多い基地局、および／または、１より多いモバイル・デバイスを含むことができ、これら追加の基地局および／またはモバイル・デバイスは以下に説明する基地局１４１０およびモバイル・デバイス１４５０の例と実質的に同じでも、別のものでもありうることが認識されるべきである。さらに、基地局１４１０および／またはモバイル・デバイス１４５０は、その間の無線通信を容易にするために、システム（図１乃至図３、図１２、図１３）、技術／コンフィグレーション／例（図４乃至図９）、および／または方法（図１０および図１１）を適用しうることが認識されるべきである。
【００５９】
基地局１４１０では、多くのデータ・ストリームのためのトラフィック・データが、データ・ソース１４１２から送信（ＴＸ）データ・プロセッサ１４１４へ提供される。一例によれば、おのおののデータ・ストリームは、それぞれのアンテナを介して送信される。ＴＸデータ・プロセッサ１４１４は、トラフィック・データ・ストリームをフォーマットし、そのデータ・ストリームのために選択された特定の符合化スキームに基づいて符号化し、インタリーブして、符合化されたデータを提供する。
【００６０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１４５０において使用されうる。おのおののデータ・ストリームに関する多重化されたパイロットおよび符合化されたデータは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交真副変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１４３０によって実行または提供される命令によって決定されうる。
【００６１】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０はその後、ＮＴ個の変調シンボル・ストリームを、ＮＴ個の送信機（ＴＭＴＲ）１４２２ａ乃至１４２２ｔへ提供する。様々な実施形態において、ＴＸ  ＭＩＭＯプロセッサ１４２０は、データ・ストリームのシンボル、および、そのシンボルが送信されるアンテナへ、ビームフォーミング重みを適用する。
【００６２】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号は、ＮＴ個のアンテナ１４２４ａ乃至１４２４ｔそれぞれから送信される。
【００６３】
モバイル・デバイス１４５０では、送信された変調信号がＮＲ個のアンテナ１４５２ａ乃至１４５２ｒによって受信され、おのおののアンテナ１４５２からの受信信号が、それぞれの受信機（ＲＣＶＲ）１４５４ａ乃至１４５４ｒへ提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６４】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００６５】
プロセッサ１４７０は、上述したように、どの事前符合化行列を使用するのかを定期的に決定する。さらに、プロセッサ１４７０は、行列インデクス部およびランク値部とを備えた逆方向リンク・メッセージを規定することができる。
【００６６】
逆方向リンク・メッセージは、通信リンクおよび／または受信されたデータ・ストリームに関する様々なタイプの情報を備えうる。逆方向リンク・メッセージは、多くのデータ・ストリームに関するトラフィック・データをデータ・ソース１４３６から受信するＴＸデータ・プロセッサ１４３８によって処理され、変調器１４８０によって変調され、送信機１４５４ａ乃至１４５４ｒによって調整され、基地局１４１０へ送り戻される。
【００６７】
基地局１４１０では、モバイル・デバイス１４５０からの変調信号が、アンテナ１４２４によって受信され、受信機１４２２によって調整され、復調器１４４０によって復調され、ＲＸデータ・プロセッサ１４４２によって処理されて、モバイル・デバイス１４５０によって送信された逆方向リンク・メッセージを抽出する。さらに、プロセッサ１４３０は、ビームフォーミング重みを決定するためにどの事前符合化行列を使用するかを決定するために、この抽出されたメッセージを処理する。
【００６８】
プロセッサ１４３０およびプロセッサ１４７０は、基地局１４１０およびモバイル・デバイス１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【００６９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７０】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７１】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知の様々な手段によってプロセッサと通信可能に接続されうる。
【００７２】
図１５に関して、ページング・チャネルが高速チャネルとともに適用されるシステム１５００が例示される。例えば、システム１５００は、基地局、モバイル・デバイス等内に少なくとも部分的に存在することができる。システム１５００は、プロセッサ、ソフトウェア、または（例えば、ファームウェアのような）これらの組み合わせによって実現される機能を表す機能ブロックを含むものとして表されることが認識されるべきである。システム１５００は、連携して動作する電子構成要素からなる論理グループ１５０２を含む。例えば、論理グループ１５０２は、ページング・インジケータ・チャネルでページング・インジケータを送信する電子構成要素１５０４を含みうる。例えば、モバイル・デバイスに向けられたデータは、スケジュールされるか、および／または、他のチャネルで待機している。ページング・インジケータは、モバイル・デバイスに対してページされることが可能であり、データをベリファイおよび／または取得するために他のチャネルを読み取るべきであると通知する。さらに、論理グループ１５０２は、パラメータのセットにしたがって、高速チャネルで情報をスケジュールする電子構成要素１５０６を含みうる。実施形態では、ページング・インジケータ・チャネルは、高速チャネル（例えば、ＨＳ−ＳＣＣＨ、ＨＳ−ＰＤＳＣＨ等）を用いて動作しうる。共通チャネルは、情報が高速チャネルでいつどのようにスケジュールされるのかを指定するパラメータを含みうる。さらに、論理グループ１５０２は、高速チャネルで情報を送信する電子構成要素１５０８を含みうる。一旦スケジューリングされると、それにしたがって情報が送信されうる。さらに、システム１５００は、電子構成要素１５０４、１５０６、および１５０８に関連する機能を実行するための命令群を保持するメモリ１５１０を含みうる。メモリ１５１０の外部にあるとして示されているが、電子構成要素１５０４、１５０６、および１５０８のうちの１または複数は、メモリ１５１０の内部に存在しうることが理解されるべきである。
【００７３】
図１６に移って、無線通信ネットワークにおけるページング・インジケータに基づいて高速チャネル・データを受信するシステム１６００が例示される。システム１６００は、例えば、基地局、モバイル・デバイス等の中に存在しうる。図示するように、システム１６００は、プロセッサ、ソフトウェア、あるいは（例えばファームウェアのような）これらの組み合わせによって実現される機能を表す機能ブロックを含む。システム１６００は、ページング・インジータに応答して、高速チャネル・データを受信することを容易にする電子構成要素の論理グループ１６０２を含む。論理グループ１６０２は、ページング・インジケータ・チャネルで送信を受信する電子構成要素１６０４を含みうる。送信は、ページング・メッセージ、ＵＥ特有の上部レイヤ・シグナリング、またはＵＥ特有のデータが高速チャネルでスケジュールされることを通知するページング・インジケータでありうる。さらに、論理グループ１６０２は、共通チャネル送信におけるパラメータのセットの確認ための電子構成要素１６０６を備えうる。さらに、論理グループ１６０２は、高速データ・チャネル１６０８で対応するデータを復号する電子構成要素１６０８を含みうる。例えば、確認されたパラメータのセットは、そのスケジュールに基づいてデータを適切に復号できるようにデコーダを設定するように利用されうる。さらに、システム１６００は、電子構成要素１６０４、１６０６、および１６０８に関連する機能を実行するための命令群を保持するメモリ１６１０を含みうる。メモリ１６１０の外部にあるとして示されているが、電子構成要素１６０４、１６０６、および１６０８は、メモリ１６１０内に存在しうることが理解されるべきである。
【００７４】
上述したものは、１または複数の実施形態の一例を含んでいる。もちろん、上述した実施形態を説明する目的で、構成要素または方法論の考えられる全ての組み合わせを記述することは可能ではないが、当業者であれば、様々な実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010521897.tif 000003
【図２】
2010521897.tif 000004
【図３】
2010521897.tif 000005
【図４】
2010521897.tif 000006
【図５】
2010521897.tif 000007
【図６】
2010521897.tif 000008
【図７】
2010521897.tif 000009
【図８】
2010521897.tif 000010
【図９】
2010521897.tif 000011
【図１０】
2010521897.tif 000012
【図１１】
2010521897.tif 000013
【図１２】
2010521897.tif 000014
【図１３】
2010521897.tif 000015
【図１４】
2010521897.tif 000016
【図１５】
2010521897.tif 000017
【図１６】
2010521897.tif 000018
【国際調査報告】
2010521897.tif 000019
2010521897.tif 000020